(57)【特許請求の範囲】
【請求項１】
カードを使用して所定の取引を実行する自動取引装置において、
カードが挿入及び排出される挿入排出口を有し、
カード情報のリードライトを行うカード処理部と、
前記挿入排出口から挿入されたカードを前記カード処理部へ搬送するカード搬送路と、
傾斜面を持つ床部と、カードの先端を後方へずらして集積する傾斜壁と、前記床部と前記傾斜壁の合流部に形成したカード排出口とを有したカード取込部とを設け、
前記挿入排出口にあるカードを前記カード搬送路を通じて前記カード取込部に取り込むことを特徴とする自動取引装置。
【請求項２】
前記挿入排出口から前記カード搬送路を通って前記カード処理部を通過したカードを、前記カード搬送路の前記挿入排出口近傍に搬送する退避路を有することを特徴とする請求項２記載の自動取引装置。
【請求項３】
前記カード排出口は前記退避路と接続し、取り込まれたカードの情報を入力すると、該情報に基づいて前記カード取込部にあるカードを前記退避路に送り出して前記挿入排出口から排出する請求項２記載の自動取引装置。
【請求項４】
前記カードを前記カード取込部に取り込む際、カードの取込位置情報を記憶し、
取り込まれたカードの情報を入力すると、入力されたカードの情報と前記記憶したカード情報とを突き合わせ、
該当するカードが有ると判断すると該当するカードの位置を検出して、その位置のカードが送り出されるまで前記カード取込部からカードを繰り出し、
該当しないカードは前記カード取込部に再度取り込み、
該当するカードは前記挿入排出口から排出し、
前記記憶したカード情報の内前記挿入排出口から排出したカードの情報を消去し、再び前記カード取込部に取り込まれたカードの取込情報を記憶する請求項３記載の自動取引装置。
【請求項５】
前記カード取込部は、集積した最下端のカードに接する繰り出しローラと、
集積した最下端のカードを該繰り出しローラに圧接させるガイドとを設け、
前記集積した最下端のカードより順番にカード排出口から１枚ずつ分離排出する請求項１記載の自動取引装置。
【請求項６】
前記カード取込部は、前記カード取込部の直近上部に前記カード取込部へカードを案内する切り替えゲートを設けた請求項１記載の自動取引装置。
【発明の詳細な説明】
【０００１】
【発明の属する技術分野】
本発明は、カードを使用して所定の取引を実行する自動取引装置に関するものである。
【０００２】
【従来の技術】
銀行等の金融機関においては、預貯金等の入出金処理に自動取引装置が広く使われている。この装置では、通帳の他、いわゆるキャッシュカードのようなカードを使用して現金の入出金や、振込カードと併用して口座から口座への金額の振込等が行われる。キャッシュカードや振込カードには所定の情報が書き込まれており、自動取引装置はこれらのカードを受け入れて必要な情報を読み取り、取引処理を実行する。
【０００３】
【発明が解決しようとする課題】
しかしながら、上記構成の装置では以下のような欠点があった。
すなわち、従来の自動取引装置にあっては、カード集積部に集積されたカードをカード排出口から１枚ずつ分離する場合、カード取込部が平面状に形成されているために最下端のカードのエンボス部分が２枚目のカードのデボス部分に一致してしまい、最下端のカードを分離しようとしてもエンボス部とデボス部が引っ掛り分離搬送が出来ないと言う問題があった。
【０００４】
【課題を解決するための手段】
上記課題を解決するために、本発明が講じた解決手段は、傾斜面を持つ床部と傾斜壁とで構成されたカード集積部に集積したカードを最下端のカードから順番にカード排出口へ分離搬送させることを特徴とする。
【０００５】
【発明の実施の形態】
以下に本発明の実施の形態を図面を参照しながら詳細に説明する。本実施の形態の自動取引装置は、例えば銀行等の金融機関に設置され、キャッシュカード等のＩＤカードを使用して現金の入出金や、振込カードと併用して口座から口座への金額の振込等を行うことができるものである。なお、各図面に共通する要素には同一の符号を付す。
【０００６】
第１の実施の形態
図１は本発明に係る第１の実施の形態の自動取引装置の概略構成説明図である。
自動取引装置１はカード取扱装置２５、レシート取扱装置２８、及び両装置２５、２８の全体の動作を制御する制御部３０を内臓している。自動取引装置１の媒体挿入排出口４は、カード挿入排出口１ａ及びレシート排出口１ｂが一体に形成されて設けてある。
【０００７】
カード取扱装置２５は第１搬送路７、第２搬送路２１、及び第１搬送路７にあるカード１０（ＩＤカード１０ａ，振込カード１０ｂ）を第２搬送路２１へ受け渡すサブ搬送路２０を有している。第１、第２搬送路７、２１には、カードを搬送する一対の搬送ローラ４０が設けてある。
【０００８】
また、第１搬送路７のカード挿入排出口１ａ近傍にはセンサ４１が設けられ、第２搬送路２１の第１搬送路７との合流部近傍にはセンサ４２が設けられている。
サブ搬送路２０及び第２搬送路２１とにより、退避路が形成される。
【０００９】
また、カード取扱装置２５には、第１搬送路７に沿って、カードリーダライタ２、振込カード印字部５、エンボスリーダ部６、振込カード発行部８、及びカード取込部１４が備えられている。
【００１０】
カードリーダライタ２は磁気ヘッド３を有しており、カード１０上に設けた図示せぬ磁気ストライプに書き込まれたデータの読取及び新たなデータの書込みを行う。
【００１１】
エンボスリーダ部６は、ＩＤカード１０ａ上に文字を浮き出して形成した図示せぬエンボス文字を光学的に読み取る。読み取られたエンボス文字は図示せぬ認識回路で認識され、認識結果は図示せぬジャーナルプリンタ部に送られる。
カードリーダライタ２、振込カード印字部５、及びエンボスリーダ部６によりカード処理部が構成される。
【００１２】
振込カード発行部８は、新規に発行する振込カード１０ｂを複数枚積層して収納している。振込カード１０ｂの最上部には、重り９が乗せられ振込カード１０ｂの全体に所定の重みが掛けられている。また、振込カード発行部８の下部には、振込カード１０ｂを第１搬送路７へ繰出す繰出しローラ１１が設けられている。
【００１３】
カード取込部１４の上方には、第１搬送路７からカード取込部１４へカードを案内させるためのゲート１７が設けられている。また、カード取込部１４は、傾斜面を持つ床部１９と傾斜壁１８があり、第１搬送路７の最終端のローラ４０までカードを搬送し、ゲート１７を図示せぬプランジャマグネットの吸引によって一点鎖線の方向へ回動させたあと、モータ３４を逆転させてカード１０をカード取込部１４へ取り込む。さらに、カード取込部１４には、ガイド１５及び繰出しローラ１６を備えている。ガイド１５は、矢印Ａ，Ｂ方向に回動可能に設けられており通常は、矢印Ａ方向で待機している。顧客が所定の取引終了後にカード１０を取り忘れた場合、矢印Ｂ方向へ一時待避させてカード１０を取込み集積させる。
【００１４】
また、自動取引装置１には、搬送路を切り替えるゲート１２、１３、２２が設けて有り、各々図示せぬプランジャマグネットの吸引により図に示す２点鎖線の位置に回動する。ゲート２２１２は、振込カード発行部８から振込カード１０ｂが繰出される際矢印Ｄ方向に回動し、振込カード１０ｂが繰出されると実線で示す位置に戻る。
【００１５】
ゲート１３は、矢印Ｅ方向に回動してカード１０をサブ搬送路２０に案内し、
ゲート２２は、矢印Ｆ方向に回動して第２搬送路２１から第１搬送路７へカード１０を合流させる。
【００１６】
ここで、本実施の形態の制御系について図２を加えて説明する。図２は、第１の実施の形態の自動取引装置の制御ブロック図である。
制御部３０にはモータドライバ３１、マグネットドライバ３９、カードリーダライタ２、印字部５、エンボスリーダ部６、例えばタッチパネル等の顧客用の入力操作部３２、係員操作用の取込カード返却スイッチ３３、及びセンサ４１、４２が接続されている。モータドライバ３１には、モータ３４〜３８が接続されている。
【００１７】
モータ３４は正逆方向に回転駆動されることにより、第１搬送路７に設けられた搬送ローラ４０を正逆方向に回転させる。モータ３５は正逆方向に回転駆動されることにより、第２搬送路２１に設けられた搬送ローラ４０を正逆方向に回転させる。モータ３６は繰出しローラ１１を矢印Ｃ方向に回転させる。モータ３７は繰出しローラ１６を矢印Ｃ方向に回転させる。モータ３８はガイド１５を矢印Ａ，Ｂ方向に回動させる。
【００１８】
マグネットドライバ３９はプランジャマグネットを励磁して、ゲート１２、１３、２２を各々矢印方向に回動させる。
【００１９】
制御部３０はセンサ４１、４２の出力の変化によりカード１０の走行位置を判断する。
また制御部３０は、通信回線を介してセンタ５０の中央処理装置５１と接続されている。センタ５０の中央処理装置５１にはファイル５２が接続されている。ファイル５２には、後述するオペレータの暗証番号、顧客データ、顧客の暗証番号等が登録されている。またファイル５２には、カード取込部１４に取り込まれたカード１０(以下、取込カード１０とする)のデータが記憶される。
【００２０】
次に、本実施の形態の自動取引装置１での振込取引動作を説明する。先ず、ＩＤカード１０ａ，及び発行済みの振込カード１０ｂを使用して口座から口座へ金額を振り込む場合について図３を加えて説明する。図３は第１の実施の形態のフローチャートである。
【００２１】
顧客により自動取引装置１の入力操作部３２から振込カード１０ｂを使っての振込取引が選択されると、制御部３０は顧客にＩＤカード１０ａの挿入を促す（ステップＳ１）。センサ４１の出力変化によりＩＤカード１０ａの挿入を検出すると、制御部３０はモータドライバ３１を介してモータ３４を正方向に回転し、ＩＤカード１０ａを自動取引装置１内に吸入する。
【００２２】
そして、顧客に対し暗証番号の入力を促し（ステップＳ２）、入力されるとカードリーダライタ２でＩＤカード１０ａの磁気ストライプを読み取り（ステップＳ３）、センタ５０のファイル５２と照合する（ステップＳ４）。照合結果が一致しなければステップＳ６に進み、回数がオーバしていなければ再び顧客に対し暗証番号の入力を促す（ステップＳ７）。
【００２３】
照合結果が一致すると取引可能と判断し、ＩＤカード１０ａはエンボスリーダ部６に送られ、エンボス文字が読み取られる（ステップＳ５）。
【００２４】
ＩＤカード１０ａの搬送方向後端がゲート１３を通過したと判断すると、制御部３０はモータ３４を停止し、グネッマトドライバ３９を駆動してプランジャマグネットを励磁し、ゲート１３を矢印Ｅ方向に回動する（ステップＳ８）。そしてモータ３４を逆回転し、モータ３５を正回転する。
【００２５】
これによりＩＤカード１０ａは、第１搬送路７からゲート１３に案内されてサブ搬送路２０を介して第２搬送路２１へ送られる。センサ４２の出力変化に基ずいて、ＩＤカード１０ａの搬送方向先頭が第１搬送路７との合流部手前に位置したとき、モータ３４、３５を停止し、ＩＤカード１０ａを保留する（ステップＳ９）。
【００２６】
次に、制御部３０は顧客に振込カード１０ｂの挿入を促す（ステップＳ１０）。センサ４１の出力変化により振込カード１０ｂの挿入が検出されると、モータ３４を正回転して振込カード１０ｂを吸入する。そして振込カード１０ｂを搬送しながら、カードリーダライタ２で磁気ストライプを読み取る（ステップＳ１１）。これにより、振込カード１０ｂに書き込まれている口座番号へ、先に挿入されたＩＤカード１０ａの口座から指定された金額が振り込まれる。（ステップＳ１２）。
【００２７】
取引が終了すると、モータ３４を逆回転して第１搬送路７にある振込カード１０ｂを媒体挿入排出口４に向けて搬送し、媒体挿入排出口４から排出する（ステップＳ１３）。顧客により振込カード１０ｂが抜き取られ、センサ４１の出力が変化すると、制御部３０はグネッマトドライバ３９を駆動してゲート２２を矢印Ｆ方向に回動し（ステップＳ１４）、モータ３５を正回転して第２搬送路２１にあるＩＤカード１０ａを第１搬送路７へ送る。第１搬送路７の搬送ローラ４０は回転しているので、ＩＤカード１０ａは、媒体挿入排出口４から排出される（ステップＳ１５）。
【００２８】
ＩＤカード１０ａは媒体挿入排出口４の近傍に待機しており、従って、振込カード１０ｂが抜き取られるとすぐにＩＤカード１０ａが排出されることになる。
【００２９】
次に、振込取引後、振込カード１０ｂを新規に発行する場合について、図４を加えて説明する。図４は第１の実施の形態のフローチャートである。
【００３０】
顧客により入力操作部３２から振込カード１０ｂを使用しない振込取引が選択されると、制御部３０は顧客にＩＤカード１０ａの挿入を促す（ステップＳ２０）。この後のステップＳ２１〜ステップＳ２６に示す動作は、上述したステップＳ２〜ステップＳ７に示す動作と同様であるので説明は省略する。
【００３１】
ステップＳ２７で、顧客は振込取引に必要な事項として、振込先の口座番号や振込金額を入力操作部３２から入力すると、振込が行われる（ステップＳ２８）。
【００３２】
取引が終了すると、制御部３０は顧客に振込カード１０ｂを新規発行するか否かを入力操作部３２に表示し（ステップＳ２９）、顧客が新規発行を選択すると、ＩＤカード１０ａをさらに搬送してゲートを通過させる。そして、ゲートを矢印Ｅ方向に回動して（ステップＳ３０）ＩＤカード１０ａを第２搬送路２１へ送り、上述と同様、ＩＤカード１０ａを第１搬送路７との合流部手前に位置させ、保留する（ステップＳ３１）。
【００３３】
制御部３０はゲート２２１２を矢印Ｄ方向に回動し（ステップＳ３２）、繰出しローラ１１を矢印Ｃ方向に回転させる。これにより、振込カード発行部８の最下部にある振込カード１０ｂが繰り出され、第１搬送路７へ送られる（ステップＳ３３）。
【００３４】
制御部３０はモータ３４を逆回転させ、新規の振込カード１０ｂを振込カード印字部５へ送る。振込カード印字部５では、振込カード１０ｂに必要事項を印字する（ステップＳ３４）。振込カード１０ｂはさらにカードリーダライタ２に送られ、磁気ストライプにデータを書き込まれる（ステップＳ３５）。
【００３５】
そして、上述したステップＳ１３〜ステップＳ１５までの動作と同様に、媒体挿入排出口４から振込カード１０ｂを排出し、顧客が振込カード１０ｂを抜き取ると、続いてＩＤカード１０ａを排出する（ステップＳ３６、３７、３８）。
【００３６】
ところで、振込カード１０ｂには複数の振込先を書き込むことが可能となっている。次に、発行済みの振込カード１０ｂに新規の振込先を追加印字させる動作を同じく図４を用いて説明する。なお、ＩＤカード１０ａを挿入してから振込取引が終了するまで（ステップＳ２０〜ステップＳ２９まで）の動作は上述した通りであるので説明は省略する。
【００３７】
取引が終了すると制御部３０は顧客に振込カード１０ｂを新規発行するか否かを入力操作部３２に表示し（ステップＳ２９）、顧客が新規発行しないことを選択すると、つぎに追加印字するか否かを表示する（ステップＳ３９）。
【００３８】
顧客により追加印字が選択されると、ＩＤカード１０ａをさらに搬送してゲートを通過させる。そして、ゲートを矢印Ｅ方向に回動し（ステップＳ４０）、上述と同様に、ＩＤカード１０ａを第２搬送路２１へ送り、第１搬送路７との合流部手前に位置させ、保留する（ステップＳ４１）。
【００３９】
次に、顧客に振込カード１０ｂの挿入を促し（ステップＳ４２）、センサ４１により振込カード１０ｂの挿入が検出されると、モータ３４を正回転して振込カード１０ｂを搬送し、カードリーダライタ２で磁気ストライプを読み取り（ステップＳ４３）、ステップＳ３４に進む。
【００４０】
この後の動作（ステップＳ３４〜ステップＳ３８まで）は上述した通りあるので説明は省略する。
【００４１】
第１の実施の形態では、サブ搬送路２０及び第２搬送路２１を備えて、先行にて挿入されたＩＤカード１０ａによる取引が終了した際、 ＩＤカード１０ａを第１搬送路７との合流部手前で待機させ、後続の振込カード１０ｂによる取引実行後、両カード１０ａ，１０ｂを順次連続して排出しているので、顧客側でのカード１０の取り忘れを解消できる。
【００４２】
なお制御部３０は、振込取引終了後、カード１０が媒体挿入排出口４から一定時間取り除かれなかった場合、顧客が取り忘れたものと判断する。そして、モータ３４を正回転して第１搬送路７の最終端の搬送ローラ４０までカードを搬送し、ゲート１７を図示せぬプランジャマグネットの吸引によって一点鎖線の方向へ回動させた後、モータ３４を逆回転させ、さらにガイド１５を矢印Ｂ方向へ退避させ、カード１０をカード取込部１４に取り込む。カード１０を取り込んだ後は、モータ３８を逆回転してガイド１５を矢印Ａ方向へ回動し元の位置に戻す。
【００４３】
次にカード取込部１４の取込カード１０を排出する動作を図５を加えて説明する。図５は第１の実施の形態のフローチャートである。
【００４４】
オペレータが、例えば自動取引装置１の後面等に設けた取込カード返却スイッチ３３を入れると、制御部３０は、現在取引実行中であればその取引終了後、自動取引装置１の全面上部に設けた図示せぬ状態表示部等に「取引中止」の表示を行い、次の顧客が取引を行えないようにすると共に、入力操作部３２を用いてオペレータに対し暗証番号の入力要求を行う（ステップＳ５０）。オペレータが暗証番号を入力すると、中央処理装置５１は入力された暗証番号がファイル５２に登録されているか照合し、照合結果が一致しなければステップＳ５２に進み、回数がオーバしていなければ再びオペレータに対し暗証番号の入力を促す。
【００４５】
照合結果が一致すると自動取引装置１は取込カードを排出するモードになる。制御部３０は、ガイド１５を矢印Ａ方向に回動し（ステップＳ５３）、繰出しローラ１６を矢印Ｃ方向へ回転する。これにより、繰出しローラ１６と当接する取込カード１０が第２搬送路２１へ１枚繰出される（ステップＳ５３）。同時にモータ３５が回転し取込カード１０は第２搬送路２１を搬送される（ステップＳ５４）。
【００４６】
センサ４２により取込カード１０が検出されると、制御部３０はモータ３４を正回転させると共に、ゲート２２を矢印Ｆ方向へ回動（ステップＳ５５）する。第２搬送路２１を搬送される取込カード１０は、ゲート２２に案内されて第１搬送路７から挿入排出口４に送られ、排出される（ステップＳ５６）。
【００４７】
なお、カード取込部１４での取込カード１０の有無は、センタ５０により予め確認されており、制御部３０は、カード取込部１４内の取込カード１０が全て排出されるまで（ステップＳ５７）、ステップＳ５０からステップＳ５６までの動作を繰り返す。
【００４８】
オペレータへ排出された取込カード１０は、後に顧客によりカード返却要求があった場合、オペレータの確認により顧客に返却されることになる。
【００４９】
従来では、自動取引装置の種類によっては、例えば装置前面に取り付けられたパネル等を開いて取込カード１０が保管されているユニットを引き出した後、取込カード１０を取り除かなければならなかったが、本実施の形態では、オペレータの暗証番号を入力するだけでカード取り込み部１４に取り込まれた全ての取込カード１０を媒体挿入排出口４から取り出すことができる。
【００５０】
なお、ステップＳ５０でのオペレータの暗証番号入力の変わりに、オペレータ用のＩＤカード等を挿入することによりセンタ５０のファイル５２と照合を行ってもよい。
【００５１】
第１の実施の形態では、振込処理において、ＩＤカード１０ａ，振込カード１０ｂの順で自動取引装置１に挿入し、振込カード１０ｂ、ＩＤカード１０ａの順で排出しているが、挿入の順序は逆であってもよい。即ち、振込カード１０ｂ、ＩＤカード１０ａの順で挿入して、ＩＤカード１０ａ，振込カード１０ｂの順で媒体挿入排出口４から排出してもよい。また、排出順序も挿入順序と関係なく排出してもよい。
【００５２】
第２の実施の形態
なお、カード取込部１４に取り込まれた復数枚の取込カード１０の中の任意の１枚を排出してもよい。この場合、カード取込部１４に取り込まれた取込カード１０は、カードリーダライタ２で読み取られて取り込まれた順にセンタ５０のファイル５２に記憶されている。そして、顧客に暗証番号を入力させることにより、入力された暗証番号の取込カード１０を返却する。以下、図１、図２、図６を用いて説明する。図６は第２の実施の形態のフローチャートである。
【００５３】
第２の実施の形態では、第２搬送路２１の排出口１４ａ側に、図示せぬセンサが設けてあり、このセンサによりカード取込部１４から繰り出される取込カード１０の通過を検出する。またセンタ５０は、カード取込部１４に取り込まれた取込カード１０のデータを、取り込まれた順にファイル５２に記憶する。
【００５４】
顧客が取引終了後、カード１０の取り忘れに気付きオペレータに返却要求を行うと、オペレータは取込カード返却スイッチ３３をいれる。制御部３０は入力操作部３２を用いて顧客に対し暗証番号の入力要求を行う（ステップＳ６０）。顧客により暗証番号が入力されると、中央処理装置５１はファイル５２に記憶されている取込カード１０のデータを照合する（ステップＳ６１）。照合結果が一致しなければステップＳ６２に進み、回数がオーバしていなければ再び顧客に対し暗証番号の入力を促す。
【００５５】
照合結果が一致すると、ステップＳ６３に進む。このときセンタ５０では、該当する取込カード１０がどの部位(何枚目)にあるのかを示すデータを制御部３０に送出する。ここでは、例として２枚目の取込カード１０を排出する場合について説明する。
【００５６】
制御部３０は、ガイド１５を矢印Ａ方向に回動し、繰出しローラ１６を矢印Ｃ方向へ回転する（ステップＳ６３）。これにより、取込カード１０が第２搬送路２１へ１枚繰り出され、第２搬送路２１を搬送される（ステップＳ６４）。このとき、第２搬送路２１の排出口１４ａ近傍に設けた図示せぬセンサが、取込カード１０の通過を検出し、制御部３０はカード取込部１４から繰り出される取込カード１０の枚数をカウントする。
【００５７】
センサ４２により取込カード１０が検出されると、制御部３０はモータ３４を正解転し、ゲート２２を矢印Ｆ方向へ回動（ステップＳ６５）する。取込カード１０は、ゲート２２に案内されて第１搬送路７へ送られるが（ステップＳ６６）、１枚目の取込カード１０であるので、ステップＳ６７からステップＳ６８に進み、ゲート２２を下の位置（実線の位置）に戻す。そして、モータ３４を逆回転して第１搬送路７を搬送し（ステップＳ６９）最終端のローラ４０までカード１０を導きゲート１７を上方へ回動（ステップＳ７０）、さらにガイド１５をＢ方向へ退避させ（ステップＳ７１）再びカード取込部１４に取り込む（ステップＳ７２）。
【００５８】
この後、ステップＳ６３からステップＳ６６の動作を行い、２枚目の取込カード１０は第１搬送路７から媒体挿入排出口４へ送り、排出し（ステップＳ７３）、顧客に返却される。ここで中央処理装置５１は、顧客に返却した取込カード１０の履歴をファイル５２から抹消すると共に、再びカード取込部１４に取り込まれた１枚目の取込カード１０の部位を改めてファイル５２へ記憶する。
【００５９】
第２の実施の形態では、取り忘れられたカード１０が自動取引装置１内に複数枚ある場合、顧客の暗証番号を入力するだけでその中の任意の取込カード１０を取り出すことができる。従って、例えば自動取引装置１の扉を開いてユニット等を引き出すという煩わしい動作を必要としない。また、自動取引装置１を一旦停止させる必要もない。
【００６０】
また第２の実施の形態では、カード取込部１４に取り込まれた取込カード１０のデータは予めセンタ５０に登録してあるので、取込カード１０の排出動作においてセンタ５０から、何枚目の取込カード１０を排出するのかを入力すればよい。従って、自動取引装置１はカード取込部１４から繰り出す枚数及び繰り出した取込カード１０の搬送経路を管理するだけでよく、どの取込カードが該当する取込カード１０であるか判断する必要はない。
【００６１】
ところで、第２の実施の形態ではカード１０のデータは取込順に繰り出しているが、取り込まれた各々のカード１０がカード取込部１４のどの位置に有るかを登録しておけば、必ず取込順に繰り出す必要はない。
【００６２】
なお、第２の実施の形態では、カード取込部１４から繰り出した取込カード１０が該当する取込カード１０でない場合、第２搬送路２１及び第１搬送路７を搬送して、再びカード取込部１４に取り込んでいるが、カード取込部１４から繰り出された取込カード１０を、第２搬送路２１とサブ搬送路２０との合流部で、サブ搬送路２０へ搬送して第１搬送路７へ送るようにしてもよい。この場合、再びカード取込部１４に取り込まれる取込カード１０の搬送時間を短縮することができる。
【００６３】
また、第２の実施の形態の自動取引装置１に、第１の実施の形態で説明した係員の暗証番号による取込カード１０の排出も行えるようにし、オペレータが目的に応じて排出方法を選択できるようにしてもよい。
【００６４】
第１、第２の実施の形態では、カード取込部１４に取り込まれた取込カード１０の情報をファイル５２に記憶しているが、これに限らず、例えば自動取引装置１にメモリを設けて、メモリに格納してもよい。
【００６５】
第１、第２の実施の形態では、２枚のカード１０を使用する場合について説明しているが、各カード１０が連続して媒体挿入排出口４から排出させることができれば、３枚以上のカードを扱ってもよい。
【００６６】
【発明の効果】
以上、詳細に説明したように、本発明は、傾斜面を持つ床部と傾斜壁とで構成されたカード集積部を設け、そこに先端を後方へ若干ずつずらした状態でカードを収納する。本発明は、これによって、最下端のカードをカード排出口へ繰り出す場合に、最下端のカードのエンボスがその上に集積されているカードのデボス部に引っ掛って繰り出し出来ないという問題をなくすことができ、カードを確実に１枚ずつ分離し繰り出すことができる。
【図面の簡単な説明】
【図１】本発明に係る第１の実施の形態の自動取引装置の概略構成説明図である。
【図２】第１の実施の形態の自動取引装置の制御ブロック図である。
【図３】第１の実施の形態のフローチャートである。
【図４】第１の実施の形態のフローチャートである。
【図５】第１の実施の形態のフローチャートである。
【図６】第２の実施の形態のフローチャートである。
【符号の説明】
１  自動取引装置
２  カードリーダライタ
４  媒体挿入排出口
５  振込カード印字部
６  エンボスリーダ部
７  第一搬送部
１０  カード
１４  カード取込部
２１  第２搬送部
２５  カード取扱装置
３０  制御部
【図１】
0003711309.tif 000002
【図２】
0003711309.tif 000003
【図３】
0003711309.tif 000004
【図４】
0003711309.tif 000005
【図５】
0003711309.tif 000006
【図６】
0003711309.tif 000007